(57)【要約】【課題】収容量を変更することができるワイヤハーネス用のプロテクタを提供する。【解決手段】プロテクタ１０は、第１傾動壁部３１の外面に設けられた第１上側係止部３３と、第１カバー側壁６０の先端縁に設けられた第１上側カバー突起６３とが係止されるとともに、第２ベース側壁の外面に設けられた第２下側係止部と、第２カバー側壁７０の第２下側カバー突起とが係止されることで筒状をなす。ベース部材２０は、第１傾動壁部３１の先端縁に設けられた第１ベース突起が第２ベース側壁の第２下側係止部に係止されることで筒状をなす。第１傾動壁部３１は、第１ベース側壁３０に設けられた第１ヒンジ部を起点に第２ベース側壁に向けて傾動可能とされている。【選択図】図１
2020088967.tif 000002
【特許請求の範囲】
【請求項１】
ワイヤハーネスの外周に設けられ、前記ワイヤハーネスを保護する筒状のプロテクタであって、
前記ワイヤハーネスの延びる方向に沿って延在する底壁、前記底壁の延在方向に直交する幅方向の両端からそれぞれ延在する第１ベース側壁及び第２ベース側壁を有するベース部材と、
前記底壁に対向する頂壁、前記頂壁の前記幅方向の両端から前記第１ベース側壁及び前記第２ベース側壁に向かってそれぞれ延在するとともに前記第１ベース側壁及び前記第２ベース側壁に係止可能な第１カバー側壁及び第２カバー側壁を有し、前記第１ベース側壁及び前記第２ベース側壁と前記第１カバー側壁及び前記第２カバー側壁とがそれぞれ係止されることで前記ベース部材と共に筒状をなすカバー部材と、を備え、
前記第１ベース側壁は、前記第１ベース側壁の延在方向の途中に設けられたヒンジ部を起点に前記第２ベース側壁に向けて傾動可能且つ前記第２ベース側壁に対して係止可能な傾動壁部を有し、前記傾動壁部が前記第２ベース側壁に係止されることで前記底壁、前記第１ベース側壁及び前記第２ベース側壁が筒状をなす、
ワイヤハーネス用のプロテクタ。
【請求項２】
前記傾動壁部の外面には、第１係止部が設けられており、
前記第１カバー側壁の先端縁には、前記第１係止部に係止可能な第１カバー突起が設けられており、
前記第２ベース側壁の外面には、第２係止部が設けられており、
前記第２カバー側壁の先端縁には、前記第２係止部に係止可能な第２カバー突起が設けられており、
前記傾動壁部の先端縁には、前記第２係止部に係止可能なベース突起が設けられている、
請求項１に記載のワイヤハーネス用のプロテクタ。
【請求項３】
前記傾動壁部の先端縁には、当該先端縁から前記傾動壁部の内側に向かって突出するとともに前記底壁の延在方向に沿って延在する延在部が設けられており、
前記ベース突起は、前記延在部から前記傾動壁部の内側に向かって突出しており、
前記第１ベース側壁及び前記第２ベース側壁と前記第１カバー側壁及び前記第２カバー側壁とがそれぞれ係止された状態において、前記頂壁の内面と前記延在部の外面とが当接する、
請求項２に記載のワイヤハーネス用のプロテクタ。
【請求項４】
前記傾動壁部を第１傾動壁部とするとき、
前記第２ベース側壁は、前記底壁の延在方向において前記第１傾動壁部と異なる位置に、前記第２ベース側壁の延在方向の途中に設けられたヒンジ部を起点に前記第１ベース側壁に向けて傾動可能且つ前記第１ベース側壁に対して係止可能な第２傾動壁部を有し、前記第２傾動壁部が前記第１ベース側壁に係止されることで前記底壁及び前記第１ベース側壁及び前記第２ベース側壁が筒状をなす、
請求項２または請求項３に記載のワイヤハーネス用のプロテクタ。
【発明の詳細な説明】
【技術分野】
【０００１】
本発明は、ワイヤハーネス用のプロテクタに関する。
【背景技術】
【０００２】
従来、自動車に配索されるワイヤハーネスの外周に設けられ、ワイヤハーネスを保護するプロテクタが知られている（例えば、特許文献１参照）。同文献１に記載のプロテクタは、長方形状の樹脂板からなり、幅方向に間隔をあけた３カ所で、長さ方向の全体にわたって平行に折り曲げられることでワイヤハーネスの電線群を収容する中空部を有する四角筒状に組み立て可能な基材を備えている。
【先行技術文献】
【特許文献】
【０００３】
【特許文献１】特開２０１５−８２９５５号公報
【発明の概要】
【発明が解決しようとする課題】
【０００４】
ところで、電線群を構成する電線の数や太さによって、ワイヤハーネスの断面形状や断面積が異なる。そのため、特許文献１に記載のプロテクタにおいては、ワイヤハーネスの断面形状や断面積に応じた収容量を有する専用のプロテクタを用意する必要がある。
【０００５】
本発明の目的は、収容量を変更可能なワイヤハーネス用のプロテクタを提供することにある。
【課題を解決するための手段】
【０００６】
上記目的を達成するためのワイヤハーネス用のプロテクタは、ワイヤハーネスの外周に設けられ、前記ワイヤハーネスを保護する筒状のものであり、前記ワイヤハーネスの延びる方向に沿って延在する底壁、前記底壁の延在方向に直交する幅方向の両端からそれぞれ延在する第１ベース側壁及び第２ベース側壁を有するベース部材と、前記底壁に対向する頂壁、前記頂壁の前記幅方向の両端から前記第１ベース側壁及び前記第２ベース側壁に向かってそれぞれ延在するとともに前記第１ベース側壁及び前記第２ベース側壁に係止可能な第１カバー側壁及び第２カバー側壁を有し、前記第１ベース側壁及び前記第２ベース側壁と前記第１カバー側壁及び前記第２カバー側壁とがそれぞれ係止されることで前記ベース部材と共に筒状をなすカバー部材と、を備え、前記第１ベース側壁は、前記第１ベース側壁の延在方向の途中に設けられたヒンジ部を起点に前記第２ベース側壁に向けて傾動可能且つ前記第２ベース側壁に対して係止可能な傾動壁部を有し、前記傾動壁部が前記第２ベース側壁に係止されることで前記底壁、前記第１ベース側壁及び前記第２ベース側壁が筒状をなす。
【０００７】
同構成によれば、ベース部材の各側壁とカバー部材の各側壁とを係止させることでベース部材とカバー部材とによって筒状のプロテクタ（以下、第１プロテクタ）が形成される。
【０００８】
一方、第１ベース側壁のヒンジ部を起点に傾動壁部を第２ベース側壁に向けて傾動させて第２ベース側壁に係止させることで、底壁、第１ベース側壁、及び第２ベース側壁によって筒状のプロテクタ（以下、第２プロテクタ）が形成される。ここで、第１プロテクタの収容空間の断面積は、第２プロテクタの収容空間の断面積よりも大きい。したがって、プロテクタの収容量を変更することができる。
【０００９】
上記ワイヤハーネス用のプロテクタにおいて、前記傾動壁部の外面には、第１係止部が設けられており、前記第１カバー側壁の先端縁には、前記第１係止部に係止可能な第１カバー突起が設けられており、前記第２ベース側壁の外面には、第２係止部が設けられており、前記第２カバー側壁の先端縁には、前記第２係止部に係止可能な第２カバー突起が設けられており、前記傾動壁部の先端縁には、前記第２係止部に係止可能なベース突起が設けられていることが好ましい。
【００１０】
同構成によれば、第１ベース側壁の傾動壁部の外面に設けられた第１係止部に、第１カバー側壁の先端縁に設けられた第１カバー突起を係止し、第２ベース側壁の外面に設けられた第２係止部に、第２カバー側壁の先端縁に設けられた第２カバー突起を係止することで、ベース部材の各側壁とカバー部材の各側壁とを係止させることができる。
【００１１】
また、第１ベース側壁のヒンジ部を起点に傾動壁部を第２ベース側壁に向けて傾動させ、第２ベース側壁の外面に設けられた第２係止部に、傾動壁部の先端縁に設けられたベース突起を係止することで、傾動壁部を第２ベース側壁に係止させることができる。
【００１２】
したがって、上記ワイヤハーネス用のプロテクタに係る発明を容易に具体化することができる。
上記ワイヤハーネス用のプロテクタにおいて、前記傾動壁部の先端縁には、当該先端縁から前記傾動壁部の内側に向かって突出するとともに前記底壁の延在方向に沿って延在する延在部が設けられており、前記ベース突起は、前記延在部から前記傾動壁部の内側に向かって突出しており、前記第１ベース側壁及び前記第２ベース側壁と前記第１カバー側壁及び前記第２カバー側壁とがそれぞれ係止された状態において、前記頂壁の内面と前記延在部の外面とが当接することが好ましい。
【００１３】
同構成によれば、第１プロテクタにおいては、頂壁の内面と延在部の外面とが当接するため、頂壁が第１プロテクタの内側に向かって変形することを抑制できる。したがって、第１プロテクタの剛性を高めることができる。
【００１４】
上記ワイヤハーネス用のプロテクタにおいて、前記傾動壁部を第１傾動壁部とするとき、前記第２ベース側壁は、前記底壁の延在方向において前記第１傾動壁部と異なる位置に、前記第２ベース側壁の延在方向の途中に設けられたヒンジ部を起点に前記第１ベース側壁に向けて傾動可能且つ前記第１ベース側壁に対して係止可能な第２傾動壁部を有し、前記第２傾動壁部が前記第１ベース側壁に係止されることで前記底壁及び前記第１ベース側壁及び前記第２ベース側壁が筒状をなすことが好ましい。
【００１５】
例えば、第１ベース側壁にのみ傾動壁部が設けられている構成においては、プロテクタを構成する側壁の一部が底壁の延在方向全体にわたってヒンジ部のみにより構成されることとなる。この場合、側壁のうちヒンジ部のみによって構成される部分の剛性が他の部分よりも低くなり、プロテクタの剛性が低くなるおそれがある。
【００１６】
この点、上記構成によれば、プロテクタを構成する側壁の一部が底壁の延在方向全体にわたってヒンジ部のみにより構成されることがなくなる。このため、プロテクタの剛性の低下を抑制することができる。
【発明の効果】
【００１７】
本発明によれば、ワイヤハーネス用のプロテクタの収容量を変更することができる。
【図面の簡単な説明】
【００１８】
【図１】ワイヤハーネス用のプロテクタの一実施形態について、第１プロテクタをワイヤハーネスと共に示す斜視図。
【図２】同実施形態のベース部材を示す斜視図。
【図３】同実施形態の第１傾動壁部が傾動している状態を示す側面図。
【図４】同実施形態の第２プロテクタを示す斜視図。
【図５】同実施形態のカバー部材を第１カバー側壁側から視た斜視図。
【図６】同実施形態のカバー部材を第２カバー側壁側から視た斜視図。
【図７】同実施形態の第１プロテクタにおける第１ベース突起が収容凹部に収容されている状態を示す断面図。
【図８】同実施形態の第１プロテクタを示す側面図。
【図９】同実施形態の第２プロテクタを示す側面図。
【発明を実施するための形態】
【００１９】
以下、図１〜図９を参照して、一実施形態について説明する。
図１に示すように、プロテクタ１０は、自動車などに配索されるワイヤハーネス１００の外周に設けられ、ワイヤハーネス１００を保護するものであり、いずれも樹脂材料からなるベース部材２０と、ベース部材２０に係止可能なカバー部材５０とを備えている。
【００２０】
図２〜図４に示すように、ベース部材２０は、ワイヤハーネス１００の延びる方向に沿って延在する長方形板状の底壁２１、底壁２１の延在方向に直交する幅方向（以下、幅方向Ｘ）の両端からそれぞれ延在する第１ベース側壁３０及び第２ベース側壁４０を有している。
【００２１】
図５及び図６に示すように、カバー部材５０は、底壁２１に対向する長方形板状の頂壁５１、頂壁５１の幅方向Ｘの両端から第１ベース側壁３０及び第２ベース側壁４０に向かってそれぞれ延在する第１カバー側壁６０及び第２カバー側壁７０を有している。
【００２２】
図１に示すように、プロテクタ１０は、底壁２１の延在方向（以下、長手方向Ｙ）の中央部に設けられ、ベース部材２０の一部とカバー部材５０の一部とにより構成される１つの第１大型収容部１１を有している。また、プロテクタ１０は、第１大型収容部１１を挟んで設けられ、それぞれベース部材２０の一部とカバー部材５０の一部とにより構成される２つの第２大型収容部１２とを有している。
【００２３】
以下、第１大型収容部１１及び第２大型収容部１２について詳細に説明する。
なお、以降において、ベース部材２０の底壁２１と頂壁５１との対向する方向を上下方向Ｚとし、底壁２１を基準として頂壁５１に近接する側を上側とし、頂壁５１から離間する側を下側として説明する。ただし、この上下方向は、車両に対するプロテクタ１０の搭載姿勢を限定するものではない。
【００２４】
＜第１大型収容部１１＞
まず、ベース部材２０の第１大型収容部１１を構成する部分について説明する。
図１及び図２に示すように、第１ベース側壁３０の長手方向Ｙの中央部は、第２ベース側壁４０の長手方向Ｙの中央部よりも上下方向Ｚにおいて長い。第１ベース側壁３０の上記中央部には、第２ベース側壁４０に向けて傾動可能な第１傾動壁部３１が設けられている。図３に示すように、第１傾動壁部３１は、第１ベース側壁３０の上下方向Ｚの途中に設けられ、長手方向Ｙに沿って延びる第１ヒンジ部３２を起点に傾動される。なお、本実施形態の第１ヒンジ部３２は、第１ベース側壁３０のその他の部分より薄肉状に形成された薄肉部により構成されている。
【００２５】
図２に示すように、第１傾動壁部３１の外面には、第１上側係止部３３が設けられている。第１上側係止部３３は、第１傾動壁部３１の外面から突出しており、上下方向Ｚに沿って形成された貫通孔３４を有している。なお、第１上側係止部３３が、本発明に係る第１係止部に相当する。
【００２６】
第１傾動壁部３１の先端縁には、内側に向かって突出するとともに第１傾動壁部３１の長手方向Ｙの全体にわたって延在する第１延在部３５が設けられている。第１延在部３５は、第１傾動壁部３１に直交するように延在している。
【００２７】
第１延在部３５の先端縁の中央部には、後述する第２ベース側壁４０の第２下側係止部４６に係止可能な第１ベース突起３６が設けられている。第１ベース突起３６は、第１係止爪３７を有している。
【００２８】
図２及び図３に示すように、第２ベース側壁４０の外面には、第１傾動壁部３１の第１ベース突起３６が係止可能な第２下側係止部４６が設けられている。第２下側係止部４６は、第２ベース側壁４０の外面から突出しており、上下方向Ｚに沿って形成された貫通孔４７を有している。なお、第２下側係止部４６が、本発明に係る第２係止部に相当する。
【００２９】
図４及び図９に示すように、ベース部材２０は、第１傾動壁部３１を第２ベース側壁４０に向けて傾動させることで、第１ベース突起３６の第１係止爪３７が第２下側係止部４６に弾性的に係止される。これにより、図４に示すように、ベース部材２０は、底壁２１、第１ベース側壁３０、及び第２ベース側壁４０により囲まれる第１小型収容部１３が構成される。
【００３０】
なお、底壁２１の外面には、車体に対してプロテクタ１０を固定するための固定部（図示略）が形成されている。
次に、カバー部材５０の第１大型収容部１１を構成する部分について説明する。
【００３１】
図５及び図６に示すように、第２カバー側壁７０の長手方向Ｙの中央部は、第１カバー側壁６０の長手方向Ｙの中央部よりも上下方向Ｚにおいて長い。
第１カバー側壁６０の先端縁には、ベース部材２０の第１傾動壁部３１に設けられた第１上側係止部３３に係止可能な第１上側カバー突起６３が設けられている。第１上側カバー突起６３は、第１係止爪６４を有している。
【００３２】
第２カバー側壁７０の先端縁には、ベース部材２０の第２ベース側壁４０に設けられた第２下側係止部４６に係止可能な第２下側カバー突起７６が設けられている。第２下側カバー突起７６は、第２係止爪７７を有している。
【００３３】
以上のことから、図１及び図８に示すように、第１カバー側壁６０の第１上側カバー突起６３が第１傾動壁部３１の第１上側係止部３３に係止される。そして、第２カバー側壁７０の第２下側カバー突起７６が第２ベース側壁４０の第２下側係止部４６に係止される。これらにより、ベース部材２０の底壁２１、第１ベース側壁３０、及び第２ベース側壁４０と、カバー部材５０の頂壁５１、第１カバー側壁６０、及び第２カバー側壁７０とにより四角筒状をなす第１大型収容部１１が構成される。
【００３４】
ここで、図５及び図６に示すように、カバー部材５０の頂壁５１の内面には、第１ベース突起３６の第１係止爪３７が収容される収容凹部５２が設けられている。
図７に示すように、第１係止爪３７が収容凹部５２に収容されることで、第１傾動壁部３１の第１延在部３５の外面と、頂壁５１の内面とが当接する。
【００３５】
＜第２大型収容部１２＞
第２大型収容部１２は、幅方向Ｘにおいて第１大型収容部１１と対称な構成を有している。このため、以降において、第１大型収容部１１の構成と同様な構成については、第１大型収容部１１の構成に対応する符号「３＊」、「４＊」、「６＊」、及び「７＊」に「１００」を加算した符号「１３＊」、「１４＊」、「１６＊」、及び「１７＊」を付すことにより重複した説明を省略する。
【００３６】
まず、ベース部材２０の第２大型収容部１２を構成する部分について説明する。
図２に示すように、第２ベース側壁４０には、第１ベース側壁３０に向けて傾動可能な第２傾動壁部１３１が設けられている。第２傾動壁部１３１は、第２ベース側壁４０の上下方向Ｚの途中に設けられ、長手方向Ｙに沿って延びる第２ヒンジ部１３２を起点に傾動される。
【００３７】
第２傾動壁部１３１の外面には、第２上側係止部１３３が設けられている（図４参照）。
第１ベース側壁３０の外面には、第２傾動壁部１３１の第２ベース突起１３６が係止可能な第１下側係止部１４６が設けられている。
【００３８】
図４及び図９に示すように、第２傾動壁部１３１が第１ベース側壁３０に向けて傾動されることで、第２ベース突起１３６の第２係止爪１３７が第１下側係止部１４６に弾性的に係止される。これにより、図４に示すように、ベース部材２０は、底壁２１、第２ベース側壁４０、及び第１ベース側壁３０により囲まれる第２小型収容部１４が構成される。
【００３９】
図５及び図６に示すように、第１カバー側壁６０の先端縁には、第１ベース側壁３０に設けられた第１下側係止部１４６に係止可能な第１下側カバー突起１７６が設けられている。第１下側カバー突起１７６は、第１係止爪１７７を有している。
【００４０】
第２カバー側壁７０の先端縁には、第２傾動壁部１３１に設けられた第２上側係止部１３３に係止可能な第２上側カバー突起１６３が設けられている。第２上側カバー突起１６３は、第２係止爪１６４を有している。
【００４１】
以上のことから、図１及び図８に示すように、第１カバー側壁６０の第１下側カバー突起１７６が第１ベース側壁３０の第１下側係止部１４６に係止される。そして、第２カバー側壁７０の第２上側カバー突起１６３が第２傾動壁部１３１の第２上側係止部１３３に係止される。これらにより、ベース部材２０の底壁２１、第１ベース側壁３０、及び第２ベース側壁４０と、カバー部材５０の頂壁５１、第１カバー側壁６０、及び第２カバー側壁７０とにより四角筒状をなす第２大型収容部１２が構成される。
【００４２】
ここで、図５及び図６に示すように、カバー部材５０の頂壁５１の内面には、第２大型収容部１２が構成された状態において、第２ベース突起１３６の第２係止爪１３７が収容される収容凹部５２が設けられている。図示は省略するが、第２係止爪１３７が収容凹部５２に収容されることで、第２傾動壁部１３１の第２延在部１３５の外面と、頂壁５１の内面とが当接する。
【００４３】
以上のことから、ベース部材２０にカバー部材５０が係止されることで、第１大型収容部１１及び第２大型収容部１２が長手方向Ｙに並んで構成された四角筒状のプロテクタが形成される。以降において、上記態様により形成されたプロテクタを第１プロテクタＰ１と称する。
【００４４】
また、ベース部材２０の第１傾動壁部３１及び第２傾動壁部１３１が第２ベース側壁４０及び第１ベース側壁３０にそれぞれ係止されることで、第１小型収容部１３及び第２小型収容部１４が長手方向Ｙに並んで構成された四角筒状のプロテクタが形成される。以降において、上記態様により形成されたプロテクタを第２プロテクタＰ２と称する。
【００４５】
図８及び図９に示すように、第１プロテクタＰ１の収容空間の断面積は、第２プロテクタＰ２の収容空間の断面積よりも大きい。
上述したように、第１プロテクタＰ１及び第２プロテクタＰ２は、幅方向Ｘにおいて対称な構成を有している。このため、図２に示すように、第１傾動壁部３１及び第２傾動壁部１３１は、長手方向Ｙにおいて互いに異なる位置に設けられるとともに、幅方向Ｘにおいて互いに異なる方向から傾動される。なお、図４に示すように、第２プロテクタＰ２が構成された状態において、第１傾動壁部３１と第２傾動壁部１３１とは長手方向Ｙにおいて互いに当接している。
【００４６】
本実施形態の作用及び効果について説明する。
（１）プロテクタ１０は、第１傾動壁部３１の外面に設けられた第１上側係止部３３と、第１カバー側壁６０の先端縁に設けられた第１上側カバー突起６３とが係止されるとともに、第２ベース側壁４０の外面に設けられた第２下側係止部４６と、第２カバー側壁７０の第２下側カバー突起７６とが係止されることで四角筒状をなす。ベース部材２０は、第１傾動壁部３１の先端縁に設けられた第１ベース突起３６が第２ベース側壁４０の第２下側係止部４６に係止されることで四角筒状をなす。第１傾動壁部３１は、第１ベース側壁３０に設けられた第１ヒンジ部３２を起点に第２ベース側壁４０に向けて傾動可能とされている。
【００４７】
こうした構成によれば、第１ベース側壁３０の第１上側係止部３３と第１カバー側壁６０の第１上側カバー突起６３とを係止させるとともに、第２ベース側壁４０の第２下側係止部４６と第２カバー側壁７０の第２下側カバー突起７６とを係止させることで、ベース部材２０とカバー部材５０とによって四角筒状の第１プロテクタＰ１が形成される。
【００４８】
一方、第１ベース側壁３０の第１ヒンジ部３２を起点に第１傾動壁部３１を第２ベース側壁４０に向けて傾動させて第１ベース突起３６を第２下側係止部４６に係止させることで、底壁２１、第１ベース側壁３０、及び第２ベース側壁４０によって四角筒状の第２プロテクタＰ２が形成される。ここで、第１プロテクタＰ１の収容空間の断面積は、第２プロテクタＰ２の収容空間の断面積よりも大きい。したがって、プロテクタ１０の収容量を変更することができる。
【００４９】
（２）第１プロテクタＰ１が構成された状態において、カバー部材５０の頂壁５１の内面には、ベース部材２０の第１延在部３５の外面及び第２延在部１３５の外面が当接する。
【００５０】
こうした構成によれば、第１プロテクタＰ１においては、カバー部材５０の頂壁５１の内面と第１延在部３５の外面及び第２延在部１３５の外面とが当接する。このため、頂壁５１が第１プロテクタＰ１の内側に向かって変形することを抑制できる。したがって、第１プロテクタＰ１の剛性を高めることができる。
【００５１】
（３）第２ベース側壁４０に向けて傾動可能な第１傾動壁部３１と、第１ベース側壁３０に向けて傾動可能な第２傾動壁部１３１とが長手方向Ｙにおいて互いに異なる位置に設けられている。
【００５２】
例えば、第１ベース側壁３０にのみ傾動壁部が設けられている構成においては、プロテクタ１０を構成する側壁の一部が長手方向Ｙの全体にわたってヒンジ部のみにより構成されることとなる。この場合、側壁のうちヒンジ部のみによって構成される部分の剛性が他の部分よりも低くなり、プロテクタ１０の剛性が低くなるおそれがある。
【００５３】
この点、上記構成によれば、プロテクタ１０を構成する側壁の一部が長手方向Ｙの全体にわたってヒンジ部のみにより構成されることがなくなる。このため、プロテクタ１０の剛性の低下を抑制することができる。
【００５４】
本実施形態は、以下のように変更して実施することができる。本実施形態及び以下の変更例は、技術的に矛盾しない範囲で互いに組み合わせて実施することができる。
・第１プロテクタＰ１は、第１大型収容部１１のみにより構成されるものであってもよい。この場合、複数の第１大型収容部１１同士を長手方向Ｙに互いに間隔をおいて設けることもできる。
【００５５】
・第１プロテクタＰ１は、複数の第１大型収容部１１と、複数の第２大型収容部１２とが長手方向Ｙに交互に設けられるものであってもよい。この場合、第１大型収容部１１と第２大型収容部１２とが長手方向Ｙに互いに間隔をおいて設けられていてもよい。
【００５６】
・カバー部材５０の頂壁５１の収容凹部５２を省略することもできる。この場合、第１係止爪３７及び第２係止爪１３７が頂壁５１に干渉しないように、これらの間に隙間を設ければよい。
【００５７】
・第１ヒンジ部３２及び第２ヒンジ部１３２は、ベース部材２０の本体と別体であってもよい。
・例えばベース部材２０の底壁２１から、長手方向Ｙの外側に突出するベラ部を設け、当該ベラ部とワイヤハーネス１００とをテープなどによって固定するようにしてもよい。また、こうしたベラ部をカバー部材５０に設けてもよい。
【００５８】
・ベース部材２０の底壁２１などに、バンド部材が挿通される２つの貫通孔を互いに間隔をおいて設け、当該バンド部材によりワイヤハーネス１００をプロテクタ１０に固定するようにしてもよい。また、こうした貫通孔をカバー部材５０に設けてもよい。
【００５９】
・カバー部材５０の各カバー突起に対して、それらの突出方向（上下方向Ｚ）に複数の係止爪を互いに間隔をおいて設けることもできる。この場合、カバー部材５０のベース部材２０に対する係止位置を係止爪の位置に応じて変更することができることから、プロテクタ１０の上下方向Ｚの寸法、すなわち、プロテクタ１０の収容量を変更することができる。
【符号の説明】
【００６０】
１０…プロテクタ、１１…第１大型収容部、１２…第２大型収容部、１３…第１小型収容部、１４…第２小型収容部、２０…ベース部材、２１…底壁、３０…第１ベース側壁、３１…第１傾動壁部、３２…第１ヒンジ部、３３…第１上側係止部、３４…貫通孔、３５…第１延在部、３６…第１ベース突起、３７…第１係止爪、４０…第２ベース側壁、４６…第２下側係止部、４７…貫通孔、５０…カバー部材、５１…頂壁、５２…収容凹部、６０…第１カバー側壁、６３…第１上側カバー突起、６４…第１係止爪、７０…第２カバー側壁、７６…第２下側カバー突起、７７…第２係止爪、１００…ワイヤハーネス、１３１…第２傾動壁部、１３２…第２ヒンジ部、１３３…第２上側係止部、１３４…貫通孔、１３５…第２延在部、１３６…第２ベース突起、１３７…第２係止爪、１４６…第１下側係止部、１４７…貫通孔、１６３…第２上側カバー突起、１６４…第２係止爪、１７６…第１下側カバー突起、１７７…第１係止爪。
【図１】
2020088967.tif 000003
【図２】
2020088967.tif 000004
【図３】
2020088967.tif 000005
【図４】
2020088967.tif 000006
【図５】
2020088967.tif 000007
【図６】
2020088967.tif 000008
【図７】
2020088967.tif 000009
【図８】
2020088967.tif 000010
【図９】
2020088967.tif 000011